(57)【特許請求の範囲】
【請求項１】
受信信号を第１の周波数の信号を用いて、第１の中間周波信号に変換する第１の変換手段と、
前記第１の中間周波信号から所定の帯域幅の信号を抽出する抽出手段と、
前記第１の周波数より、FFT標本化周波数の１／２倍の周波数分だけ低い周波数の信号を用いて、前記抽出手段から出力された信号を第２の中間周波信号に変換する第２の変換手段と、
前記第２の中間周波信号を前記FFT標本化周波数の２倍の周波数のクロックに基づいて、デジタル復調する復調手段と
を含むことを特徴とする受信装置。
【請求項２】
前記抽出手段が抽出する帯域幅は、前記第１の周波数を中心周波数とし、受信信号の１セグメントの帯域幅と等しい
ことを特徴とする請求項１に記載の受信装置。
【請求項３】
受信信号を第１の周波数の信号を用いて、第１の中間周波信号に変換する第１の変換ステップと、
前記第１の中間周波信号から所定の帯域幅の信号を抽出する抽出ステップと、
前記第１の周波数より、FFT標本化周波数の１／２倍の周波数分だけ低い周波数の信号を用いて、前記抽出ステップから出力された信号を第２の中間周波信号に変換する第２の変換ステップと、
前記第２の中間周波信号を前記FFT標本化周波数の２倍の周波数のクロックに基づいて、デジタル復調する復調ステップと
を含むことを特徴とする受信方法。
【請求項４】
受信信号を第１の周波数の信号を用いて、第１の中間周波信号に変換する第１の変換ステップと、
前記第１の中間周波信号から所定の帯域幅の信号を抽出する抽出ステップと、
前記第１の周波数より、FFT標本化周波数の１／２倍の周波数分だけ低い周波数の信号を用いて、前記抽出ステップから出力された信号を第２の中間周波信号に変換する第２の変換ステップと、
前記第２の中間周波信号を前記FFT標本化周波数の２倍の周波数のクロックに基づいて、デジタル復調する復調ステップと
を含む処理を受信装置に実行させるコンピュータが読み取り可能なプログラムを記録している記録媒体。
【請求項５】
受信信号を、その周波数よりFFT標本化周波数の１／２倍の周波数分だけ高い周波数の信号を用いて、中間周波信号に変換する変換手段と、
前記中間周波信号を前記FFT標本化周波数の２倍の周波数のクロックに基づいて、デジタル復調する復調手段と
を含むことを特徴とする受信装置。
【請求項６】
受信信号を、その周波数よりFFT標本化周波数の１／２倍の周波数分だけ高い周波数の信号を用いて、中間周波信号に変換する変換ステップと、
前記中間周波信号を前記FFT標本化周波数の２倍の周波数のクロックに基づいて、デジタル復調する復調ステップと
を含むことを特徴とする受信方法。
【請求項７】
受信信号を、その周波数よりFFT標本化周波数の１／２倍の周波数分だけ高い周波数の信号を用いて、中間周波信号に変換する変換ステップと、
前記中間周波信号を前記FFT標本化周波数の２倍の周波数のクロックに基づいて、デジタル復調する復調ステップと
を含む処理を受信装置に実行させるコンピュータが読み取り可能なプログラムを記録している記録媒体。
【発明の詳細な説明】
【０００１】
【発明の属する技術分野】
本発明は受信装置および方法、並びに記録媒体に関し、特に、既存のアナログテレビジョン放送からのイメージ妨害を除去し、デジタル音声放送の所望の番組を復調する受信装置および方法、並びに記録媒体に関する。
【０００２】
【従来の技術】
電気通信技術審議会が発表した地上デジタルテレビジョン放送および地上デジタル音声放送についての暫定方式は、それぞれの放送間で整合を持った方式であり、日本ではテレビジョンチャンネルに割り当てられている６MHzの帯域幅を１４個に分割した約４２９ｋＨｚをセグメントと称されるOFDM変調された基本伝送単位とし、このセグメントを用いて伝送が行なわれる方式である。OFDM変調されているセグメントには、OFDM搬送波数が１０８本、２１６本、４３２本の３モードが定義されている。
【０００３】
地上デジタルテレビジョン放送は、セグメントを１３個用いて伝送信号を構成し、地上デジタル音声放送は、セグメントを１個あるいは３個用いて伝送信号を構成することが提案されている。
【０００４】
ところで、郵政省の諮問機関である地上デジタル放送懇談会は、将来の日本の地上デジタル放送として、地上デジタルテレビジョン放送は現在のテレビジョン放送に用いられているUHF（Ultrahigh Frequency）帯域を用いて、地上デジタル音声放送（ラジオ放送）は、現在のテレビジョン放送に用いられているVHF（Very High Frequency）帯域を用いて、それぞれ放送することが提案されている。
【０００５】
現在の地上アナログテレビジョン放送のテレビジョン受像機における中間周波数として用いられている帯域は、５４MHz乃至６０MHzである。地上デジタルテレビジョン放送および地上デジタル音声放送も、現行の地上アナログテレビジョン放送の中間周波数を用いることが、イメージ妨害をさける観点から有利であると考えられている。すなわち、５７MHzを中心周波数として必要な帯域幅および減衰特性などの選択度を有する中間周波特性をもち、これを復調することが提案されている。
【０００６】
【発明が解決しようとする課題】
上述したように、地上デジタル音声放送は、VHF帯域で放送されるように提案されており、既存のアナログテレビジョン放送との相互妨害をなくすことが求められている。また、アナログテレビジョン放送に用いられている１チャンネル分の帯域幅で、１３セグメントを伝送できるので、地上デジタル音声放送番組が１セグメントで伝送信号を構成する場合、最大１３チャンネル分の番組を収容できることになる。従って、受信装置側では、受信したいチャンネル番号の設定の他に、チャンネル内の、どのセグメントを受信するのかも設定する必要がある。
【０００７】
そのため、受信装置がチャンネル内の、どのセグメントを受信するのかに依存し、隣接するアナログテレビジョン放送の信号との相対的な周波数の位置が異なってくる。一般的に、受信信号が隣接信号と近接しているほど妨害を受けやすいと考えられることから、チャンネルの両端に位置するセグメントが受信される時が、最も正しい復調が難しい、換言すれば、近接する信号からの影響が大きいと考えられる。
【０００８】
ところで、上述したように、現在のテレビジョン受像機の中心周波数の帯域を考慮し、５７MHzの中心周波数を用いた場合の復調方式としては、直接的に規定帯域に復調する第１の手法と、受信された信号を別の周波数に変換してから復調する第２の手法とが考えられる。
【０００９】
第１の手法を用い、その処理をアナログ的に行った場合、直交搬送波の発生に関する直交性に安定度を得にくいこと、アナログ復調用乗算回路の不完全さに起因する直流オフセットが発生すること、規定帯域信号のデジタル化にＡ／Ｄ（Analog／Digital）変換回路が２系統必要になることなど、不利益な点がある。また、第１の手法を用い、その処理をデジタル的に行った場合、直交搬送波とクロック周波数との関係が、必ずしも整合がある関係にはならないことから、回路規模が大きくなるといった課題があった。
【００１０】
第２の手法を用いた場合、５７MHz帯の中間周波数を、さらにデジタル復調しやすい周波数に変換するため、デジタル復調回路を安定して動作させることが可能であるとともに、Ａ／Ｄ変換回路も１系統用意すればよい。しかしながら、５７MHz帯の中間周波数を、さらに別の周波数に変換するため、この２回目の周波数変換に起因するイメージ抑圧に関する問題が新たに生じる。特に、隣接のする映像搬送波や音声搬送波がイメージとなって希望信号に漏れ込む場合が考えられ、このことを防ぐ必要がある。
【００１１】
本発明はこのような状況に鑑みてなされたものであり、２度の周波数変換を行った場合においても、隣接信号からの妨害を除去し、希望信号を抽出する事を目的とする。
【００１２】
【課題を解決するための手段】
本発明に記載の受信装置は、受信信号を第１の周波数の信号を用いて、第１の中間周波信号に変換する第１の変換手段と、第１の中間周波信号から所定の帯域幅の信号を抽出する抽出手段と、第１の周波数より、FFT標本化周波数の１／２倍の周波数分だけ低い周波数の信号を用いて、抽出手段から出力された信号を第２の中間周波信号に変換する第２の変換手段と、第２の中間周波信号をFFT標本化周波数の２倍の周波数のクロックに基づいて、デジタル復調する復調手段とを含むことを特徴とする。
【００１３】
本発明に記載の受信方法は、受信信号を第１の周波数の信号を用いて、第１の中間周波信号に変換する第１の変換ステップと、第１の中間周波信号から所定の帯域幅の信号を抽出する抽出ステップと、第１の周波数より、FFT標本化周波数の１／２倍の周波数分だけ低い周波数の信号を用いて、抽出ステップから出力された信号を第２の中間周波信号に変換する第２の変換ステップと、第２の中間周波信号をFFT標本化周波数の２倍の周波数のクロックに基づいて、デジタル復調する復調ステップとを含むことを特徴とする。
【００１４】
本発明に記載の記録媒体は、受信信号を第１の周波数の信号を用いて、第１の中間周波信号に変換する第１の変換ステップと、第１の中間周波信号から所定の帯域幅の信号を抽出する抽出ステップと、第１の周波数より、FFT標本化周波数の１／２倍の周波数分だけ低い周波数の信号を用いて、抽出ステップから出力された信号を第２の中間周波信号に変換する第２の変換ステップと、第２の中間周波信号をFFT標本化周波数の２倍の周波数のクロックに基づいて、デジタル復調する復調ステップとを含む処理を受信装置に実行させるコンピュータが読み取り可能なプログラムを記録している。
【００１５】
本発明に記載の受信装置は、受信信号の周波数よりFFT標本化周波数の１／２倍の周波数分だけ高い周波数の信号を用いて、中間周波信号に変換する変換手段と、中間周波信号をFFT標本化周波数の２倍の周波数のクロックに基づいて、デジタル復調する復調手段とを含むことを特徴とする。
【００１６】
本発明に記載の受信方法は、受信信号の周波数よりFFT標本化周波数の１／２倍の周波数分だけ高い周波数の信号を用いて、中間周波信号に変換する変換ステップと、中間周波信号をFFT標本化周波数の２倍の周波数のクロックに基づいて、デジタル復調する復調ステップとを含むことを特徴とする。
【００１７】
本発明に記載の記録媒体は、受信信号の周波数よりFFT標本化周波数の１／２倍の周波数分だけ高い周波数の信号を用いて、中間周波信号に変換する変換ステップと、中間周波信号をFFT標本化周波数の２倍の周波数のクロックに基づいて、デジタル復調する復調ステップとを含む処理を受信装置に実行させるコンピュータが読み取り可能なプログラムを記録している。
【００１８】
本発明に記載の受信装置、受信方法、および記録媒体においては、受信信号が第１の周波数の信号を用いて、第１の中間周波信号に変換され、その中間周波信号から所定の帯域幅の信号が抽出され、第１の周波数より、FFT標本化周波数の１／２倍の周波数分だけ低い周波数の信号を用いて、抽出された信号が第２の中間周波信号に変換され、第２の中間周波信号がFFT標本化周波数の２倍の周波数のクロックに基づいて、デジタル復調される。
【００１９】
本発明に記載の受信装置、受信方法、および記録媒体は、受信信号の周波数よりFFT標本化周波数の１／２倍の周波数分だけ高い周波数の信号を用いて、中間周波信号に変換した信号がFFT標本化周波数の２倍の周波数のクロックに基づいて、デジタル復調される。
【００２０】
【発明の実施の形態】
現在のテレビジョン放送のVHF帯域を用いて地上デジタル音声放送を行う場合、１チャンネル分の帯域幅（６MHz）に、１３セグメントが収容される。地上デジタル音声放送は、１番組が１セグメントまたは３セグメントで伝送信号が構成される。ここでは、１番組は１セグメントで構成されるとして以下の説明をする。
【００２１】
まず、中間周波数の中心周波数を５７MHz（第１の中間周波数）とし、この第１の中間周波数に変換された信号を、さらにデジタル復調しやすい周波数（第２の中間周波数）に変換することにより、受信した信号を復調する場合を考える。
【００２２】
上述したように、地上デジタル音声放送の中間周波数の中心周波数として５７MHzを設定した場合、第１の中間周波数に変換する過程でのイメージ周波数は１１４MHzであるので、十分なイメージ抑圧が行える。また、この第１の中間周波数に変換する過程では、隣接するアナログテレビジョン放送の信号は、イメージ妨害には関係がない。隣接する信号からの妨害は、イメージ妨害よりも、エネルギーの集中したアナログ信号の搬送波が、希望信号（ユーザが選択したチャンネルの信号）の近くにあることに起因する相互変調や混変調による非線形歪であり、中間周波フィルタで、いかにその隣接アナログ信号の搬送波エネルギーを抑圧できるかが問題となる。
【００２３】
しかしながら、地上デジタル音声放送では、チャンネル（１３セグメント）内の、どのセグメントを復調するかにより、中間周波フィルタの帯域内での希望信号と隣接アナログテレビジョン放送の搬送波との相対的な周波数の位置が異なる。周波数の近い信号が隣接して存在する場合、隣接する信号からの妨害を受けやすいとされることから、図１に示したように、最上位セグメントや最下位セグメントを受信するとき、その希望信号に近い位置に隣接アナログテレビジョン放送の信号の搬送波が存在することになる。
【００２４】
すなわち、図１（Ａ）に示したように、デジタル音声放送の最上位セグメントには、アナログテレビジョン放送の映像搬送波ｆＰが隣接し、図１（Ｂ）に示したように、デジタル音声放送の最下位セグメントには、アナログテレビジョン放送の音声搬送波ｆＡが隣接する。なお、図中の数値のうち、５７MHzは、上述した第１の中間周波数を示し、４２８．５７１（＝６MHz／１４セグメント）kHzは、１セグメントの帯域幅を示し、５．５７１MHzは、実際に用いられる１３セグメント分の帯域幅を示している。
【００２５】
次に、中間周波数からのデジタル直交復調について考える。基本的には、直交する２つの搬送波を発生し乗算することにより直交復調を行う。搬送波の４倍のクロックで標本化すると回路構成を簡単化できることから、復調用の搬送波周波数の４倍の周波数をクロックとして用いることが望ましい。そこで、クロックといしては、復調用の搬送波の４倍の周波数に設定するとし、そのクロックの周波数の基準となる、デジタル復調するためのOFDM信号の周波数を、どのように設定するかが問題となる。
【００２６】
上述した５７MHzの４倍の周波数、すなわち、２２８MHzをクロックとして用いる場合、２２８MHzは、非常に高速であるため、回路実装上の問題が新たに生じる可能性がある。そこで、５７MHzよりも低い第２の中間周波数を設定し、その第２の中間周波数に変換した後に、その中間周波数に基づくクロックでデジタル復調することが考えられる。ここで、具体的に第２の中間周波数を、どのような値に設定するかを考察する。
【００２７】
第２の中間周波数として、最終的にFFT（First Fourier Transform）の標本化周波数ｆＳの１／２周波数の位置にOFDM信号を形成すれば、図２に示すように、OFDM信号のＤＣ（直流成分）に対する折り返しは発生せず、また、低い周波数のクロックを用いて、第２の中間周波数のOFDM信号をデジタル復調する事が可能となる。このような周波数の位置に、受信されたOFDM信号を周波数変換し、デジタル直交復調すれば、直交復調動作として、最も低速で行うことが可能となる。このようなデジタル直交復調が行われた後のスペクトル配置を図３に示す。図３に示すようなデジタル直交復調されたOFDM信号をFFT処理することにより、各OFDMの搬送波の復調がされる。
【００２８】
ところで、図２に示したデジタル復調するための周波数位置にOFDM信号を変換するには、変換前の信号よりｆＳ／２の周波数だけ、異なる周波数を乗算することで得ることが可能である。この周波数として上側の周波数を用いるか、あるいは下側の周波数を用いるか、いずれかを選択するわけだが、すなわち、５７MHz帯の第１の中間周波数を形成するのに、通常、上側局発を用いているが、さらに第２の中間周波数として、図２に示した周波数帯域に信号を変換するときの、局発を上側にするか下側にするかが問題である。
【００２９】
第２の中間周波数ｆｌｏｃとして上側局発を用いた場合、図４に示すように、隣接する音声搬送波ｆＡが帯域端から０．２５MHzしか離れていないことから、イメージとして、希望信号のセグメントに隣接するテレビジョン放送の音声搬送波ｆＡが漏れ込んでしまう。テレビジョン放送の信号エネルギーは、映像搬送波ｆＰの近傍と音声搬送波ｆＡの近傍に集中することから、上述した上側局発を選択した場合、どこかのセグメントには必ず音声搬送波ｆＡが漏れ込むことになり、希望信号に対する妨害が発生するものと想定される。従って、上側局発を用いるのは、不適切であると考えられる。
【００３０】
第２の中間周波数ｆｌｏｃとして下側局発を用いた場合、図５に示すように、隣接する映像搬送波ｆＰの帯域端から１．２５MHz離れた位置にデジタル音声放送の下端が位置するため、上側局発を用いた場合と比べて、１MHzの余裕が存在する。従って、イメージ帯域が、このテレビジョン放送の隣接チャンネルの映像搬送波ｆＰにかからないように設定すれば、上側映像信号のサイドバンド成分の影響はあるものの、搬送波エネルギーからの妨害を防ぐことができる。
【００３１】
以上のことを考慮し、具体的な周波数の検討を行う。地上デジタル音声放送では、１セグメントの帯域幅として６／１４MHz（約０．４２９MHz）とされており、１セグメント帯域あたりのOFDM搬送波数も、モード１として１０８本、モード２として２１６本、モード３として４３２本が定義されている。モード１は、１０８本の搬送波数であるから、OFDM復調する際のFFTポイント数としては、１２８ポイント以上必要であるので、２５６ポイントFFTが用いられるのが適当であると考えられる。
【００３２】
ここで、例えば、モード１が用いられた信号を受信するにあたりFFTポイント数を１２８とすると、FFT標本化周波数は、０．５０７６MHzである。同様に、モード２の場合のFFTポイント数を２５６、モード３の場合のFFTポイント数を５１２とした場合も、FFT標本化周波数は、０．５０７６MHzとなる。すなわち、モードによらず標本化周波数を０．５０７６MHzと設定する事ができる。
【００３３】
上述したように、FFT標本化周波数の１／２に第２の中間周波数を設定すると、第２の中間周波数におけるOFDM信号の中心周波数は、０．２５３８MHzとなり、イメージ周波数は０．５０７６MHzとなる。このOFDM信号帯域幅は、約０．４２９MHzであるから、図５に示したように、イメージ帯域内に隣接するテレビジョン放送のの映像搬送波ｆＰを避けて配置する事が可能となる。
【００３４】
次に、モード１を受信するにあたり、FFTのポイント数を２５６と設定すると、FFTの標本化周波数は、１．０１５８MHzである。同様に、モード２の場合、FFTのポイント数を５１２、モード３のFFTのポイント数を１０２４とした場合も、標本化周波数は１．０１５８MHzとなる。すなわち、モードに無関係にFFTの標本化周波数は１．０１５８MHzと設定する事が可能である。
【００３５】
このような場合も、FFTの標本化周波数の１／２に第２の中間周波数を設定すると、第２の中間周波数におけるOFDM信号の中心周波数は０．５０７９MHzとなり、イメージ周波数は、１．０１５８MHzとなることから、図５に示したように、イメージ帯域内に隣接する映像搬送波ｆＰを避けて配置する事が可能となる。
【００３６】
しかしながら、FFTポイント数を、上述したポイント数よりもさらに増やした場合、イメージ周波数は１．０１５８MHz以上となり、必ず帯域内のどこかのセグメントには、隣接するテレビジョン放送の映像搬送波ｆＰまたは音声搬送波ｆＡがイメージとなって漏れ込んでしまう。
【００３７】
従って、OFDM信号を復調するにあたり、FFTの標本化周波数の１／２の周波数で、かつ、折り返し歪みを発生しない周波数で、隣接するテレビジョン放送の搬送波がイメージ周波数とならない中間周波数に周波数変換し、この周波数変換された信号をＡ／Ｄ変換回路を用いてFFTの標本化周波数の２倍のクロックで標本化し、デジタル復調し、さらにデジタル復調された基底帯域のOFDM信号をFFT回路にてOFDM復調することにより実現する。
【００３８】
このようなことを考慮した受信装置の一実施の形態の構成を図６に示す。受信装置１のアンテナ２により受信されたＲＦ帯域の信号は、ＲＦ増幅回路３に入力され、増幅され、周波数変換回路４に出力される。周波数変換回路４は、入力された信号を、発振回路５から供給される信号に基づいて、希望信号を第１の中間周波数の信号に変換する。希望信号とは、ユーザが図示されていないリモートコントローラなどを操作して選択した番組（チャンネル）の信号である。選択回路６は、希望信号の周波数よりも５７MHz高い周波数の信号を発振するように、発振回路５を制御する。
【００３９】
このように、周波数変換回路４に、ＲＦ増幅回路３から出力された増幅されたＲＦ帯域の信号と、発振回路５から出力されたアッパーローカルとしての信号が供給され、混合されることにより、希望信号が５７MHz帯の第１の中間周波数の中間周波信号に変換されて中間周波回路７に出力される。なお、ユーザが選択したチャンネルから、発振周波数とイメージになる周波数が算出できるので、ＲＦ増幅回路３は、予め、イメージ周波数となる帯域を抑圧するように帯域制御する。
【００４０】
中間周波回路７は、入力された中間周波信号のレベルを所定のレベルにまで増幅するとともに、中間周波フィルタによる信号スペクトラムの整形を行う。中間周波フィルタの特性としては、隣接するアナログテレビジョン放送の搬送波成分を充分抑圧するものである。特に、上側隣接チャンネルの映像搬送波は、後段の周波数変換回路８で変換される周波数のイメージ周波数に近くなることから、十分な抑圧できるように設計される。また、中間周波フィルタの帯域幅は、１セグメント分、すなわち、０．４２９MHzである。
【００４１】
増幅と整形が行われた中間周波信号は、周波数変換回路８に出力される。周波数変換回路８は、発振回路９が発振する信号を用いて、入力された中間周波信号を第２の中間周波数の中間周波信号に変換する。発振回路９が発振する発振周波数は、第１の中間周波数より、FFT標本化クロックの１／２だけ低い周波数である。例えば、FFT標本化クロックを１．０１５８MHzと設定した場合、第１の中間周波数である５７MHzよりも０．５０７９（＝１．０１５８／２）MHzだけ低い周波数、すなわち、５６．４９２１MHzである。また、FFT標本化クロックを０．５０７９MHzと設定した場合、第１の中間周波数である５７MHzよりも０．２５３９（０．５０７９／２）MHzだけ低い周波数、すなわち、５６．７４６１MHzである。ここでは、FFT標本化クロックを１．０１５８MHzとして、以下の説明をする。
【００４２】
発振回路９により発振された上述したような周波数の信号が供給された周波数変換回路８は、入力された第１の中間周波数の中間周波信号を第２の中間周波数の中間周波信号に変換する。第２の中間周波数に変換された中間周波信号は、Ａ／Ｄ変換回路１０に入力され、クロック発生回路１１が発生するクロックに基づいてデジタル化（標本化）される。クロック発生回路１１は、FFT標本化クロックの２倍、すなわち、第２の中間周波数の４倍の周波数の信号を発振する。上述したように、FFT標本化クロックとして搬送波周波数の４倍が用いられると、直交復調信号が交互に符号が逆転されて出力されるので、デジタル直交復調が容易に行うことができる。
【００４３】
復調回路１２は、Ａ／Ｄ変換回路１０から出力された信号を、上述したような特徴を利用して直交復調する。復調回路１２で復調された信号は、FFT演算回路１３に出力され、FFT演算処理されることによりOFDM信号の搬送波の復調がされる。このようにして復調された信号は、図示されていないスピーカなどに出力され再生される。
【００４４】
図７は、図６に示した受信装置１の各部からの出力信号のスペクトルを説明する図である。図７（Ａ）に示すように受信装置１のアンテナ２により受信されたＲＦ帯域の信号は、周波数変換回路４により、受信された信号よりも５７MHz高い周波数の第１の中間周波数（ｆｌｏｃ１）により、図７（Ｂ）に示すように、５７MHz帯域の第１の中間周波信号に変換される。第１の中間周波信号は、さらに周波数変換回路８により、５７MHzよりも０．５０７９MHz低い第２の中間周波数（ｆｌｏｃ２）に基づいて、図７（Ｃ）に示すように、第２の中間周波信号に変換される。このようにして生成された第２の中間周波信号をFFT演算回路１３によりFFT演算処理を施すことにより、図３に示したような復調スペクトラムが生成される。
【００４５】
図８は、受信装置１の他の実施の形態の構成を示すブロック図である。図８に示した構成では、図６に示した受信装置１から、中間周波回路７、周波数変換回路８、および発振回路９を削除した構成である。すなわち、周波数変換回路４から出力された信号は、直接、Ａ／Ｄ変換回路１０に入力される構成とされている。このような構成の受信装置１では、ＲＦ増幅回路３から出力された信号は、周波数変換回路４により、発振回路５が発振する中間周波数の信号に基づいて、周波数変換される。選局回路６は、選局されたチャンネルの周波数よりも０．５０７９MHzだけ高い周波数を発信するように、発振回路５を制御する。なお、中間周波数の帯域幅は、１セグメント分の帯域幅とされている。
【００４６】
このようにＲＦ帯域の信号から直接的に０．５０４９MHzの中間周波信号を得、その得られた中間周波信号に対し、Ａ／Ｄ変換回路１０以降の処理が行われる。Ａ／Ｄ変換回路１０以降の処理は、図６に示した受信装置１と同様なので、その説明は省略する。
【００４７】
第１の中間周波数、第２の中間周波数、FFT演算クロックなどの数値は、一例にすぎず、上述した数値に限定されるものではない。
【００４８】
このように本発明を適用することにより、地上デジタル音声放送の、どのセグメントを復調する場合においても、隣接するアナログテレビジョン放送の搬送波がイメージにならないように設定することができ、もって、隣接するアナログテレビジョン放送の搬送波からの妨害信号の混入を防ぐことができる。また、デジタル復調することが可能になるので、受信装置の安定した動作が可能であるとともに、アナログ信号からデジタル信号に変換する回路を１系統とすることが可能であるので、もって、回路規模を縮小することが可能となる。
【００４９】
本明細書中において、上記処理を実行するコンピュータプログラムをユーザに提供する提供媒体には、磁気ディスク、CD-ROMなどの情報記録媒体の他、インターネット、デジタル衛星などのネットワークによる伝送媒体も含まれる。
【００５０】
【発明の効果】
以上の如く、本発明に記載の受信装置、受信方法、および記録媒体によれば、受信信号を第１の周波数の信号を用いて、第１の中間周波信号に変換し、その中間周波信号から所定の帯域幅の信号を抽出し、第１の周波数より、FFT標本化周波数の１／２倍の周波数分だけ低い周波数の信号を用いて、抽出された信号を第２の中間周波信号に変換し、第２の中間周波信号をFFT標本化周波数の２倍の周波数のクロックに基づいて、デジタル復調するようにしたので、隣接する信号からの妨害信号の混入を防ぎ、希望信号を復調することが可能となる。
【００５１】
本発明に記載の受信装置、受信方法、および記録媒体は、受信信号の周波数よりFFT標本化周波数の１／２倍の周波数分だけ高い周波数の信号を用いて、中間周波信号に変換した信号をFFT標本化周波数の２倍の周波数のクロックに基づいて、デジタル復調するようにしたので、隣接する信号からの妨害信号の混入を防ぎ、希望信号を復調することが可能となる。
【図面の簡単な説明】
【図１】上端と下端に位置するセグメントを受信時の信号配置について説明する図である。
【図２】第２中間周波数におけるスペクトラムを説明する図である。
【図３】  FFT標本化後のスペクトラムを説明する図である。
【図４】第２中間周波数を上側としたときのイメージ妨害について説明する図である。
【図５】第２中間周波数を下側としたときのイメージ妨害について説明する図である。
【図６】本発明を適用した受信装置１の一実施の形態の構成を示すブロック図である。
【図７】受信装置１の各部における信号スペクトラムを説明する図である。
【図８】受信装置１の他の実施の形態の構成を示すブロック図である。
【符号の説明】
１  受信装置，  ２  アンテナ，  ３  ＲＦ増幅回路，  ４  周波数変換回路，  ５  発振回路，  ６  選局回路，  ７  中間周波回路，  ８  周波数変換回路，  ９  発振回路，  １０  Ａ／Ｄ変換回路，  １１  クロック発生回路，  １２  復調回路，  １３  FFT演算回路
【図１】
0004284568.tif 000002
【図２】
0004284568.tif 000003
【図３】
0004284568.tif 000004
【図４】
0004284568.tif 000005
【図５】
0004284568.tif 000006
【図６】
0004284568.tif 000007
【図７】
0004284568.tif 000008
0004284568.tif 000009
0004284568.tif 000010
【図８】
0004284568.tif 000011